(57)【要約】      （修正有）【課題】メディア撹拌型粉砕機のような処理装置を、卓上で、作動、分解メンテナンス等を行うことができるようにするための補助器具となる支持フレームを提供する。【解決手段】混合または粉砕機構を駆動するための駆動機を備えた混合または粉砕機のための支持フレーム１０であって、混合または粉砕機のベッセルを保持する取り付け板１２、この取り付け板に間隔をおいて、並行に配置され、取り付け板に保持され、混合または粉砕機を竪形の作動姿勢に配置し、その姿勢を保持するための姿勢保持板１４、および取り付け板に保持された混合または粉砕機を横向きのメンテナンス姿勢に配置し、その姿勢を保持するための姿勢保持脚１６、および混合または粉砕機を作動姿勢とメンテナンス姿勢との間で転動可能とするため、取り付け板と姿勢保持板の間に延び、凸型であって、多角形状または円弧状である転動板１８を備えている。【選択図】図１
0003223736.tif 000002
【実用新案登録請求の範囲】
【請求項１】
回転式処理機構を備えた装置本体、及びこの装置本体に取り付けられ、前記処理機構を回転駆動して、処理作業を行わせるための駆動機を備えた処理装置の支持フレームであって、
前記駆動機が取り付けられる取り付け部材、
この取り付け部材に間隔をおいて配置され、前記取り付け部材に保持された駆動機へ前記装置本体を取り付けて形成された処理装置を作動姿勢に配置し、その姿勢を保持するための姿勢保持基盤、
前記処理装置を、前記作動姿勢とは直交する姿勢であるメンテナンス姿勢に配置し、その姿勢を保持するためのメンテナンス姿勢保持手段、
前記取り付け部材と前記姿勢保持基盤の間に設けられ、前記作動姿勢とメンテナンス姿勢との間で、この支持フレームを転動可能とする転動部材を備え、
該転動部材が、前記取り付け部材から姿勢保持基盤に延び、凸型であって、多角形状または円弧状であることを特徴とする支持フレーム。
【請求項２】
前記取り付け部材、姿勢保持基盤及び転動部材が、板状部材である請求項１の支持フレーム。
【請求項３】
前記処理装置が、縦型の撹拌型粉砕機である請求項１または２の支持フレーム。
【請求項４】
前記縦型の撹拌型粉砕機が、メディア撹拌型粉砕機である請求項３の支持フレーム。
【請求項５】
前記処理装置が、撹拌混合機である請求項１または２の支持フレーム。
【請求項６】
請求項１〜５のいずれかに記載の支持フレームが取り付けられた縦型処理装置。
【請求項７】
前記処理装置が、横型の撹拌型粉砕機である請求項１または２の支持フレーム。
【請求項８】
前記横型の撹拌型粉砕機が、メディア撹拌型粉砕機である請求項７の支持フレーム。
【請求項９】
請求項１、２、７及び８のいずれかに記載の支持フレームが取り付けられた横型処理装置。
【考案の詳細な説明】
【技術分野】
【０００１】
本考案は、卓上で使用することのできる処理装置のための支持フレーム及び処理装置に関する。
【背景技術】
【０００２】
本件出願人は、先に、特願２０１５−１６４３６７号で、軸封を使用しない連続式のメディア撹拌型粉砕機について出願し、特許第６０７２１１７１号として特許されている。
【０００３】
出願人側で、上記タイプの粉砕機について更に研究を重ねたところ、処理空間が１００ｍＬ規模の小型実験用粉砕機の開発に成功した。
【０００４】
ところで、このような粉砕機にあっては、大きく分けると、処理機構を持つ装置本体、及びこの装置本体に取り付けられ、前記処理機構を回転駆動して、処理作業を行わせるための駆動機からなり、卓上で、これらを組み立て、分解を行い、部品の交換等のメンテナンスを行う。
【０００５】
上記したような構造の処理装置を、卓上で、作動姿勢そのままで分解メンテナンス等を行うと、誤って部品を落としやすく、セラミック製等の脆い部品が破損等の危険に曝される不具合が生じていた。
そこで本件出願人は、従来、非特許文献１のパンフレットに示したように、首振り機構を備えたフレームに支持させ、作業状況によって必要な姿勢が取れるように構成していた。
【０００６】
しかしながら、この首振り機構を用いると、構造が複雑となり、付帯設備にコストが掛かったり、処理装置の占有面積が大きくなるといった問題が生じていた。
【先行技術文献】
【特許文献】
【０００７】
【特許文献１】特許第６０７２１１７１号公報
【非特許文献】
【０００８】
【非特許文献１】アシザワ・ファインテック株式会社発行の「ラボスターミニ／ラボスター」のパンフレット
【考案の開示】
【考案が解決しようとする課題】
【０００９】
そこで本考案は、上記したような構造の処理装置を、簡単且つ割安な構造で、姿勢を変化させて支持することができるようにするための補助器具となる支持フレーム、及びこの支持フレームが組み込まれた処理装置を提供することを目的とする。
【課題を解決するための手段】
【００１０】
上記の目的は、本考案の下記（１）〜（９）の構成の支持フレーム等により達成される。
（１）
回転式処理機構を備えた装置本体、及びこの装置本体に取り付けられ、前記処理機構を回転駆動して、処理作業を行わせるための駆動機を備えた処理装置の支持フレームであって、
前記駆動機が取り付けられる取り付け部材、
この取り付け部材に間隔をおいて配置され、前記取り付け部材に保持された駆動機へ前記装置本体を取り付けて形成された処理装置を作動姿勢に配置し、その姿勢を保持するための姿勢保持基盤、
前記処理装置を、前記作動姿勢とは直交する姿勢であるメンテナンス姿勢に配置し、その姿勢を保持するためのメンテナンス姿勢保持手段、
前記取り付け部材と前記姿勢保持基盤の間に設けられ、前記作動姿勢とメンテナンス姿勢との間で、この支持フレームを転動可能とする転動部材を備え、
該転動部材が、前記取り付け部材から姿勢保持基盤に延び、凸型であって、多角形状または円弧状であることを特徴とする支持フレーム。
（２）
前記取り付け部材、姿勢保持基盤及び転動部材が、板状部材である前記（１）の支持フレーム。
（３）
前記処理装置が、縦型の撹拌型粉砕機である前記（１）または（２）の支持フレーム。
（４）
前記縦型の撹拌型粉砕機が、メディア撹拌型粉砕機である前記（３）の支持フレーム。
（５）
前記処理装置が、撹拌混合機である前記（１）または（２）の支持フレーム。
（６）  
前記（１）〜（５）のいずれかに記載の支持フレームが取り付けられた縦型処理装置。
（７）
前記処理装置が、横型の撹拌型粉砕機である前記（１）または（２）の支持フレーム。
（８）
前記横型の撹拌型粉砕機が、メディア撹拌型粉砕機である前記（７）の支持フレーム。
（９）
前記（１）、（２）、（７）及び（８）のいずれかに記載の支持フレームが取り付けられた横型処理装置。
【考案の効果】
【００１１】
本考案の支持フレームを用いることにより、例えば、縦型メディア撹拌型粉砕機である処理装置を、その作動姿勢やメンテナンス姿勢で正確に保持することができると共に、それらの姿勢の間の転動を極めて容易に行うことができるようになる。
【図面の簡単な説明】
【００１２】
【図１】本考案の実施の形態による処理装置のための支持フレームを示す斜視図である。
【図２】図１の支持フレームの正面図である。
【図３】図１の支持フレームの背面図である。
【図４】図１の支持フレームの平面図である。
【図５】図１の支持フレームの底面図である。
【図６】図１の支持フレームの右側面図である。
【図７】図１の支持フレームの左側面図である。
【図８】本考案の実施の形態による処理装置のための支持フレームが取り付けられる処理装置の一例を示す断面図である。
【図９】本考案の実施の形態による支持フレームに取り付けられた処理装置を示す斜視図である。
【図１０】図９の処理装置の正面図である。
【図１１】図９の処理装置の転動状態を説明する説明図である。
【図１２】本考案の実施の他の形態による支持フレームを示す斜視図である。
【図１３】図１２の支持フレームの正面図である。
【考案を実施するための形態】
【００１３】
以下、添付図面を参照しつつ、本考案の実施形態による処理装置のための支持フレームについて説明する。
図１〜７は、本考案の実施形態による処理装置５０（図８参照）のための支持フレーム１０を単体で示した図である。
【００１４】
ここで、前記処理装置５０としては、縦型及び横型の撹拌型粉砕機や、撹拌混合機等が挙げられる。撹拌型粉砕機としては、粉砕メディアを用いるメディア撹拌型粉砕機であることが望ましく、以下の説明では、処理装置を、図８に断面で示した縦型メディア撹拌型粉砕機として説明する。処理装置５０は、回転式処理機構（撹拌式粉砕機構）５１を備えた装置本体５２、及びこの装置本体５２に取り付けられ、前記処理機構を回転駆動して、処理作業を行わせるための駆動機５４を備えている。
【００１５】
前記支持フレーム１０は、前記処理装置５０の駆動機５４が取り付けられる取り付け部材１２、この取り付け部材１２に間隔をおいて配置され、前記取り付け部材１２に保持された駆動機５４へ前記装置本体５２を取り付けて形成された処理装置５０を作動姿勢に配置し、その姿勢を保持するための姿勢保持基盤１４、前記処理装置５０を、前記作動姿勢とは直交する姿勢であるメンテナンス姿勢に配置し、その姿勢を保持するためのメンテナンス姿勢保持手段１６、及び前記取り付け部材１２と前記姿勢保持基盤１４の間に設けられ、前記作動姿勢とメンテナンス姿勢との間で、この支持フレーム１０を転動可能とする転動部材１８を備えている。前記メンテナンス姿勢保持手段１６は、図に示したように脚状であることが好ましく、その場合、転動部材１８に直接取り付けられていることが好ましい。また、その脚は適宜な手段（例えば、ボルト・ナット）で取り付け・取り外しができ、転動させる際には取り外し、メンテナンス姿勢を保持させるときには取り付ける。
【００１６】
前記取り付け部材１２は、単なる板状部材であってよく、この板状部材であるときには、図１等に示したように、ほぼ中央部に、前記駆動機５４を取り付けるための開口１２ａが設けられており、駆動機５４は、この開口に納められた状態で適宜な手段（例えば、ボルト・ナット）で、この取り付け部材１２に取り付けられる。
【００１７】
なお、前記取り付け部材１２、姿勢保持基盤１４及び転動部材１８は、構造上の剛性（強度）を確保するため、側板２０で連結されていることが好ましい。これらの取り付け部材１２、姿勢保持基盤１４、転動部材１８及び側板２０は、一体的に鋳造で形成されていることが望ましい。
【００１８】
前記転動部材１８は、前記取り付け部材１２から姿勢保持基盤１４に延び、凸型であって、多角形状または円弧状である板材で形成されていることが好ましい。ここで多角形は、上記の転動がスムースになるように、なるべく多くの角部（例えば６角形の一部）を有するものが好ましい。
【００１９】
また、図１等に示したように、前記転動部材１８及び側板２０には、支持フレーム１０の内部に作業員が手を入れて、装置本体５２を取り扱ったり、この支持フレーム１０に取り付けられた装置本体５２から（または、装置本体５２に）延びる配管や電気コードを通すために、開口１８ａ、２０ａが形成されていることが好ましい。これらの開口１８ａ、２０はまた、支持フレーム１０を軽量化する効果もある。
【００２０】
以上説明した支持フレーム１０に、処理装置５０は、図９および図１０に示したような状態で、確りと取り付けられる。
【００２１】
なお、本考案による支持フレーム、支持フレームが取り付けられた処理装置は、卓上での取り扱い、作動を目的とするものであるので、支持フレーム自体のサイズは、図２で見たとき、Ｗ（幅）が２５０〜３００ｍｍ、Ｄ（奥行き）が１５０〜２５０ｍｍ、高さが２００〜３００ｍｍであることが好ましい。また、本考案による支持フレームは、卓上に限らず、Ｗ（幅）が７５０〜１０００ｍｍ、Ｄ（奥行き）が５００〜８００ｍｍ、高さが９００〜１０００ｍｍのサイズでも利用できる。
【００２２】
図９および図１０に示されたように支持フレーム１０が取り付けられた処理装置５０は、図１１の（ａ）に示された作動姿勢、図１１の（ｃ）に示されたメンテナンス姿勢を取ることができ、また、それらの間で転動することができる。その転動の途中の途中姿勢を図１１の（ｂ）で示した。なお、この図１１の（ｂ）で示したように、この転動の際には、姿勢保持基盤１４側の脚状のメンテナンス姿勢保持手段１６は取り外された状態とする。
【００２３】
なお、以上説明した実施例では、転動部材の外表面を円筒状の一部の形状（断面円弧状として説明したが、多角柱の一部の形状とすることもできる。その例を図１２〜図１３に示した。
【符号の説明】
【００２４】
１０  支持フレーム
１２  取り付け部材
１２ａ  開口
１４  姿勢保持基盤
１６  メンテナンス姿勢保持手段
１８  転動部材
１８ａ  開口
２０  側板
２０ａ  開口
５０  処理装置
５１  回転式処理機構
５２  装置本体
５４  駆動機
【図１】
0003223736.tif 000003
【図２】
0003223736.tif 000004
【図３】
0003223736.tif 000005
【図４】
0003223736.tif 000006
【図５】
0003223736.tif 000007
【図６】
0003223736.tif 000008
【図７】
0003223736.tif 000009
【図８】
0003223736.tif 000010
【図９】
0003223736.tif 000011
【図１０】
0003223736.tif 000012
【図１１】
0003223736.tif 000013
【図１２】
0003223736.tif 000014
【図１３】
0003223736.tif 000015
【手続補正書】
【提出日】令和1年8月27日(2019.8.27)
【手続補正１】
【補正対象書類名】実用新案登録請求の範囲
【補正対象項目名】全文
【補正方法】変更
【補正の内容】
【実用新案登録請求の範囲】
【請求項１】
竪形ベッセル、このベッセルの上部の内部から外部に貫通して延びる回転駆動軸により回転駆動させられて、ベッセル内に投入された原料を、混合または粉砕する混合または粉砕機構、および前記ベッセル上部に取り付けられて、前記回転駆動軸を駆動して、混合または粉砕機構を駆動するための駆動機を備えた混合または粉砕機のための支持フレームであって、前記混合または粉砕機の前記ベッセルを保持する取り付け板、この取り付け板に間隔をおいて、並行に配置され、前記取り付け板に保持された混合または粉砕機を竪形の作動姿勢に配置し、その姿勢を保持するための姿勢保持板、および前記取り付け板に保持された前記混合または粉砕機を横向きのメンテナンス姿勢に配置し、その姿勢を保持するための姿勢保持脚、および前記混合または粉砕機を前記作動姿勢とメンテナンス姿勢との間で転動可能とするため、前記取り付け板と姿勢保持板の間に延び、凸型であって、多角形状または円弧状である転動板を備えていることを特徴とする支持フレーム。
【請求項２】
請求項１の支持フレームに取り付けられ、竪形ベッセル、このベッセルの上部の内部から外部に貫通して延びる回転駆動軸により回転駆動させられて、ベッセル内に投入された原料を、混合または粉砕する混合または粉砕機構、および前記ベッセル上部に取り付けられて、前記回転駆動軸を駆動して、混合または粉砕機構を駆動するための駆動機を備えた混合または粉砕機。
【手続補正２】
【補正対象書類名】明細書
【補正対象項目名】全文
【補正方法】変更
【補正の内容】
【考案の詳細な説明】
【技術分野】
【０００１】
本考案は、卓上で使用することのできる混合または粉砕機のための支持フレーム及び混合または粉砕機に関する。
【背景技術】
【０００２】
本件出願人は、先に、特願２０１５−１６４３６７号で、軸封を使用しない連続式のメディア撹拌型粉砕機について出願し、特許第６０７２１７１号として特許されている。
【０００３】
出願人側で、上記タイプの粉砕機について更に研究を重ねたところ、処理空間が１００ｍＬ規模の小型実験用粉砕機の開発に成功した。
【０００４】
ところで、このような粉砕機にあっては、大きく分けると、処理機構を持つ装置本体、及びこの装置本体に取り付けられ、前記処理機構を回転駆動して、処理作業を行わせるための駆動機からなり、卓上で、これらを組み立て、分解を行い、部品の交換等のメンテナンスを行う。
【０００５】
上記したような構造の処理装置を、卓上で、作動姿勢そのままで分解メンテナンス等を行うと、誤って部品を落としやすく、セラミック製等の脆い部品が破損等の危険に曝される不具合が生じていた。
そこで本件出願人は、従来、非特許文献１のパンフレットに示したように、首振り機構を備えたフレームに支持させ、作業状況によって必要な姿勢が取れるように構成していた。
【０００６】
しかしながら、この首振り機構を用いると、構造が複雑となり、付帯設備にコストが掛かったり、処理装置の占有面積が大きくなるといった問題が生じていた。
【先行技術文献】
【特許文献】
【０００７】
【特許文献１】特許第６０７２１７１号公報
【非特許文献】
【０００８】
【非特許文献１】アシザワ・ファインテック株式会社発行の「ラボスターミニ／ラボスター」のパンフレット
【考案の開示】
【考案が解決しようとする課題】
【０００９】
そこで本考案は、上記したような構造の混合または粉砕機を、簡単且つ割安な構造で、姿勢を変化させて支持することができるようにするための補助器具となる支持フレーム、及びこの支持フレームが組み込まれた混合または粉砕機を提供することを目的とする。
【課題を解決するための手段】
【００１０】
上記の目的は、本考案の下記（１）〜（２）の構成の支持フレーム等により達成される。
（１）
竪形ベッセル、このベッセルの上部の内部から外部に貫通して延びる回転駆動軸により回転駆動させられて、ベッセル内に投入された原料を、混合または粉砕する混合または粉砕機構、および前記ベッセル上部に取り付けられて、前記回転駆動軸を駆動して、混合または粉砕機構を駆動するための駆動機を備えた混合または粉砕機のための支持フレームであって、前記混合または粉砕機の前記ベッセルを保持する取り付け板、この取り付け板に間隔をおいて、並行に配置され、前記取り付け板に保持された混合または粉砕機を竪形の作動姿勢に配置し、その姿勢を保持するための姿勢保持板、および前記取り付け板に保持された前記混合または粉砕機を横向きのメンテナンス姿勢に配置し、その姿勢を保持するための姿勢保持脚、および前記混合または粉砕機を前記作動姿勢とメンテナンス姿勢との間で転動可能とするため、前記取り付け板と姿勢保持板の間に延び、凸型であって、多角形状または円弧状である転動板を備えていることを特徴とする支持フレーム。
（２）
前記（１）の支持フレームに取り付けられ、竪形ベッセル、このベッセルの上部の内部から外部に貫通して延びる回転駆動軸により回転駆動させられて、ベッセル内に投入された原料を、混合または粉砕する混合または粉砕機構、および前記ベッセル上部に取り付けられて、前記回転駆動軸を駆動して、混合または粉砕機構を駆動するための駆動機を備えた混合または粉砕機。
【考案の効果】
【００１１】
本考案の支持フレームを用いることにより、例えば、縦型メディア撹拌型粉砕機である混合または粉砕機を、その作動姿勢やメンテナンス姿勢で正確に保持することができると共に、それらの姿勢の間の転動を極めて容易に行うことができるようになる。
【図面の簡単な説明】
【００１２】
【図１】本考案の実施の形態による混合または粉砕機のための支持フレームを示す斜視図である。
【図２】図１の支持フレームの正面図である。
【図３】図１の支持フレームの背面図である。
【図４】図１の支持フレームの平面図である。
【図５】図１の支持フレームの底面図である。
【図６】図１の支持フレームの右側面図である。
【図７】図１の支持フレームの左側面図である。
【図８】本考案の実施の形態による混合または粉砕機のための支持フレームが取り付けられる処理装置の一例を示す断面図である。
【図９】本考案の実施の形態による支持フレームに取り付けられた混合または粉砕機を示す斜視図である。
【図１０】図９の混合または粉砕機の正面図である。
【図１１】図９の混合または粉砕機の転動状態を説明する説明図である。
【図１２】本考案の実施の他の形態による支持フレームを示す斜視図である。
【図１３】図１２の支持フレームの正面図である。
【考案を実施するための形態】
【００１３】
以下、添付図面を参照しつつ、本考案の実施形態による混合または粉砕機のための支持フレームについて説明する。
図１〜７は、本考案の実施形態による混合または粉砕機５０（図８参照）のための支持フレーム１０を単体で示した図である。
【００１４】
ここで、前記混合または粉砕機５０としては、縦型及び横型の撹拌型粉砕機や、撹拌混合機等が挙げられる。撹拌型粉砕機としては、粉砕メディアを用いるメディア撹拌型粉砕機であることが望ましく、以下の説明では、混合または粉砕機を、図８に断面で示した縦型メディア撹拌型粉砕機として説明する。混合または粉砕機５０は、回転式処理機構（撹拌式粉砕機構）５１を備えた装置本体５２、及びこの装置本体５２に取り付けられ、前記処理機構を回転駆動して、処理作業を行わせるための駆動機５４を備えている。
【００１５】
前記支持フレーム１０は、前記混合または粉砕機５０の駆動機５４が取り付けられる取り付け部材である取り付け板１２、この取り付け板１２に間隔をおいて配置され、前記取り付け板１２に保持された駆動機５４へ前記装置本体５２を取り付けて形成された混合または粉砕機５０を作動姿勢に配置し、その姿勢を保持するための姿勢保持基盤である姿勢保持板１４、前記混合または粉砕機５０を、前記作動姿勢とは直交する姿勢であるメンテナンス姿勢に配置し、その姿勢を保持するためのメンテナンス姿勢保持手段である姿勢保持脚１６、及び前記取り付け部材１２と前記姿勢保持板１４の間に設けられ、前記作動姿勢とメンテナンス姿勢との間で、この支持フレーム１０を転動可能とする転動部材である転動板１８を備えている。前記姿勢保持脚１６は、図に示したような脚状であることが好ましく、その場合、転動板１８に直接取り付けられていることが好ましい。また、その脚は適宜な手段（例えば、ボルト・ナット）で取り付け・取り外しができ、転動させる際には取り外し、メンテナンス姿勢を保持させるときには取り付ける。
【００１６】
前記取り付け板１２は、単なる板状部材であってよく、この板状部材であるときには、図１等に示したように、ほぼ中央部に、前記駆動機５４を取り付けるための開口１２ａが設けられており、駆動機５４は、この開口に納められた状態で適宜な手段（例えば、ボルト・ナット）で、この取り付け板１２に取り付けられる。
【００１７】
なお、前記取り付け板１２、姿勢保持板１４及び転動板１８は、構造上の剛性（強度）を確保するため、側板２０で連結されていることが好ましい。これらの取り付け板１２、姿勢保持板１４、転動板１８及び側板２０は、一体的に鋳造で形成されていることが望ましい。
【００１８】
前記転動板１８は、前記取り付け板１２から姿勢保持板１４に延び、凸型であって、多角形状または円弧状である板材で形成されていることが好ましい。ここで多角形は、上記の転動がスムースになるように、なるべく多くの角部（例えば６角形の一部）を有するものが好ましい。
【００１９】
また、図１等に示したように、前記転動板１８及び側板２０には、支持フレーム１０の内部に作業員が手を入れて、装置本体５２を取り扱ったり、この支持フレーム１０に取り付けられた装置本体５２から（または、装置本体５２に）延びる配管や電気コードを通すために、開口１８ａ、２０ａが形成されていることが好ましい。これらの開口１８ａ、２０はまた、支持フレーム１０を軽量化する効果もある。
【００２０】
以上説明した支持フレーム１０に、混合または粉砕機５０は、図９および図１０に示したような状態で、確りと取り付けられる。
【００２１】
なお、本考案による支持フレーム、支持フレームが取り付けられた混合または粉砕機は、卓上での取り扱い、作動を目的とするものであるので、支持フレーム自体のサイズは、図２で見たとき、Ｗ（幅）が２５０〜３００ｍｍ、Ｄ（奥行き）が１５０〜２５０ｍｍ、高さが２００〜３００ｍｍであることが好ましい。また、本考案による支持フレームは、卓上に限らず、Ｗ（幅）が７５０〜１０００ｍｍ、Ｄ（奥行き）が５００〜８００ｍｍ、高さが９００〜１０００ｍｍのサイズでも利用できる。
【００２２】
図９および図１０に示されたように支持フレーム１０が取り付けられた混合または粉砕機５０は、図１１の（ａ）に示された作動姿勢、図１１の（ｃ）に示されたメンテナンス姿勢を取ることができ、また、それらの間で転動することができる。その転動の途中の途中姿勢を図１１の（ｂ）で示した。なお、この図１１の（ｂ）で示したように、この転動の際には、姿勢保持板１４側の脚状の姿勢保持脚１６は取り外された状態とする。
【００２３】
なお、以上説明した実施例では、転動板の外表面を円筒状の一部の形状（断面円弧状）として説明したが、多角柱の一部の形状とすることもできる。その例を図１２〜図１３に示した。
【符号の説明】
【００２４】
１０  支持フレーム
１２  取り付け板
１２ａ  開口
１４  姿勢保持板
１６  姿勢保持脚
１８  転動板
１８ａ  開口
２０  側板
２０ａ  開口
５０  混合または粉砕機
５１  回転式処理機構
５２  装置本体
５４  駆動機